(57)【要約】【課題】購買者が実際に購入することになる発光体自体を発光させて購買者がその発光を確認することができるような発光体用パッケージを提供する。【解決手段】発光体用パッケージは、発光体に接続可能な電源及びスイッチと、電源及びスイッチの少なくとも一部を収容可能な包装体とを具備する。スイッチは包装体の外部から操作できるように配置され、電源及びスイッチはこれらに発光体が接続されたときにスイッチが入れられることにより発光体が発光するように構成される。【選択図】図１
2012116503.tif 000002
【特許請求の範囲】
【請求項１】
発光体に接続可能な電源及びスイッチと、上記電源及びスイッチの少なくとも一部を収容可能な包装体とを具備し、
上記スイッチは上記包装体の外部から操作できるように配置され、上記電源及びスイッチはこれらに発光体が接続されたときに上記スイッチが入れられることにより上記発光体が発光するように構成される、発光体用パッケージ。
【請求項２】
上記スイッチは押圧されているときにのみスイッチが入るプッシュスイッチである、請求項１に記載の発光体用パッケージ。
【請求項３】
上記包装体の少なくとも一つの外面上には周囲の面よりも低くなっている凹所が設けられると共に、上記スイッチの操作部が該凹所内に該凹所の周囲の面よりも低い位置に配置される、請求項１又は２に記載の発光体用パッケージ。
【発明の詳細な説明】
【技術分野】
【０００１】
本発明は、発光体用パッケージに関する。
【背景技術】
【０００２】
一般に、自動車用の発光体、例えば、ポジションランプ、ウィンカー用ランプ、ルームランプや車両のドレスアップ用ランプ等（白熱ランプ、ＬＥＤランプ、ＥＬランプ等）を店頭で販売する際には、これら発光体はパッケージに包装された状態で陳列される。したがって、通常、これらパッケージ内に包装された発光体を点灯させることはできない。
【０００３】
このため、これら発光体を取り扱う店舗では、これら発光体の商品陳列棚に近接して、これら発光体のサンプルを発光させるためのショーケースが配置される。したがって、購買者はこのショーケース内に配置された発光体サンプルを点灯させ、これらのうち気に入った発光体サンプルに対応する発光体商品を商品陳列棚から取り出して購入することになる。したがって、購買者は、実際に購入しようとする発光体商品そのものを点灯させることはできない。
【０００４】
そこで、例えば特許文献１に記載された包装装置のように、購買者への宅配前に開梱することなく、販売店において電気機器の通電駆動を検査・確認することができるようにすることが提案されている。
【先行技術文献】
【特許文献】
【０００５】
【特許文献１】実開昭６２−１３７２８０号公報
【発明の概要】
【発明が解決しようとする課題】
【０００６】
ところで、一般に、各発光体について店頭に並ぶ商品数は非常に多く、例えば、ポジションランプだけでも店頭には十数種類の商品が並ぶ。このように商品数が極めて多いため、全ての発光体商品のサンプルをショーケース内に展示することは困難である。このため、ショーケース内に展示されていない一部の発光体商品については購買者が直接その発光を確認することができない。
【０００７】
また、上述したように店頭に並ぶ商品数が非常に多いため、購買者がショーケース内の発光体サンプルと商品陳列棚に並んだ発光体商品との対応関係を適切に把握できない場合がある。このため、購買者がショーケース内で点灯させて気に入った発光体サンプルに対応する発光体商品を商品陳列棚から選択するのに時間がかかったり、場合によっては気に入った発光体サンプルとは無関係の発光体商品を間違って購入してしまったりする可能性がある。
【０００８】
さらに、店頭に設置されたショーケースでは、発光体サンプルの照度を高めるべく、実際の車両の電圧よりも高い電圧で発光体サンプルが点灯されていたり、発光体サンプルの周りがミラーで囲まれていたりする場合がある。このため、購買者が店頭のショーケース内で発光体サンプルの発光を見たときと、実際に購入後に車両に装着させて発光させたときとで、その発光の様子が異なる場合がある。
【０００９】
以上より、購買者の購入間違いや店頭と購入後とで発光の様子が異なってしまうこと等を防止するためには、購買者が実際に購入することになる発光体商品自体を発光させて、購買者がその発光を確認することができるようにする必要がある。
【００１０】
斯かる問題の解決手段として、特許文献１に記載された包装具を用いることが考えられる。当該包装具では、その外装ケースに開口が設けられると共に、包装された電気機器の電源プラグを前記開口近傍に固定配置するようにしている。これにより、包装具を開梱することなく電気機器の電源プラグを電気コンセントに接続して、電気機器の通電駆動を検査確認できるようにしている。
【００１１】
しかしながら、一般に、発光体商品には電源プラグが設けられておらず、よって特許文献１に記載された包装具を用いたとしても発光体商品がパッケージ内に梱包された状態で発光体商品の発光を確認することはできない。
【００１２】
そこで、上記問題に鑑みて、本発明の目的は、購買者が実際に購入することになる発光体自体を発光させて購買者がその発光を確認することができるような発光体用パッケージを提供することにある。
【課題を解決するための手段】
【００１３】
上記課題を解決するために、第１の発明では、発光体に接続可能な電源及びスイッチと、上記電源及びスイッチの少なくとも一部を収容可能な包装体とを具備し、上記スイッチは上記包装体の外部から操作できるように配置され、上記電源及びスイッチはこれらに発光体が接続されたときに上記スイッチが入れられることにより上記発光体が発光するように構成される、発光体用パッケージが提供される。
第１の発明によれば、購買者は上記スイッチを操作することにより発光体用パッケージに包装された発光体を直接発光させることができる。このため、購買者は実際に発光した様子を確認してその発光体を購入することができると共に、商品陳列棚から発光体サンプルに対応する発光体商品を選択する時間が必要なくなる。さらに、店舗のショーケース設営者等の意図によって発光体の照度等を調整することができなくなり、よって店頭と購入後とで発光の様子が異なってしまうことを防止することができる。
【００１４】
第２の発明では、第１の発明において、上記スイッチは押圧されているときにのみスイッチが入るプッシュスイッチである。
これにより、購買者が点灯させようとしてスイッチを押圧したときにのみ発光体が点灯することになり、発光体が点灯し続けてしまって電源（例えば、バッテリ）の電力が低下してしまうのを防止することができる。
【００１５】
第３の発明では、第１又は第２の発明において、上記包装体の少なくとも一つの外面上には周囲の面よりも低くなっている凹所が設けられると共に、上記スイッチの操作部が該凹所内に該凹所の周囲の面よりも低い位置に配置される。
これにより、発光体用パッケージを重ねたり、発光体用パッケージ上に他のものを載せたりした場合に、意図せずにスイッチが入ってしまうことが防止される。
【発明の効果】
【００１６】
本発明に係る発光体用パッケージによれば、購買者が実際に購入することになる発光体自体を発光させてその発光を確認することができる。
【図面の簡単な説明】
【００１７】
【図１】本発明の第一実施形態の発光体用パッケージの斜視図である。
【図２】本発明の第一実施形態の発光体用パッケージの正面図である。
【図３】本発明の第一実施形態の発光体用パッケージの底面図である。
【図４】本発明の第二実施形態の発光体用パッケージの斜視図である。
【図５】本発明の第二実施形態の発光体用パッケージの平面図である。
【図６】本発明の第二実施形態の発光体用パッケージの側面図である。
【図７】本発明の第三実施形態の発光体用パッケージの斜視図である。
【発明を実施するための形態】
【００１８】
以下、図面を参照して本発明の実施形態について詳細に説明する。なお、以下の説明では、同様な構成要素には同一の参照番号を付す。なお、本明細書では、図１中のαの方向を上下方向、βの方向を左右方向、γの方向を前後方向として説明するが、実際の方向はこれに限定されるものではない。
【００１９】
図１〜３は、それぞれ本発明の第一実施形態の発光体用パッケージの斜視図、平面図及び底面図である。発光体用パッケージ１は、ポジションランプ（発光体）Ｌを包装するためのパッケージであり、図１〜３から分かるように包装体２を具備する。包装体２は、前側包装体３及び後側包装体４に分かれており、これら前側包装体３と後側包装体４との間に二つのポジションランプＬが収容される。特に、図１〜３に示した実施形態では、後側包装体４が平板状であり、前側包装体３が二つの突出部３ａ、３ｂを有する形状となっている。これら二つの突出部３ａ、３ｂのうち一方の突出部３ａと部分包装体４との間にポジションランプＬが収容される。本実施形態では、後側包装体４は不透明な厚紙で形成され、前側包装体３はプラスチック材料で形成される。前側包装体３は少なくともポジションランプＬが収容される領域周り、すなわち突出部３ａ周りで透明とされる。
【００２０】
また、発光体用パッケージ１は、図２に破線で示したように、包装体２内に収容されたバッテリ（電源）５及びプッシュスイッチ６を具備する。バッテリ５のプラス電極は配線７ａによってプッシュスイッチ６に接続されると共に、バッテリ５のマイナス電極は配線７ｂによってポジションランプＬのマイナス電極に接続される。ポジションランプＬのプラス電極は配線７ｃによってプッシュスイッチ６に接続される。このように配線されたポジションランプＬ、バッテリ５及びプッシュスイッチ６では、使用者がプッシュスイッチ６を押圧するとポジションランプＬが点灯し、プッシュスイッチ６を離すとポジションランプＬが消灯する。
【００２１】
また本実施形態では、プッシュスイッチ６は基本的に前側包装体３内に収容されるが、プッシュスイッチ６の操作部のみ前側包装体３の外部に露出している。したがって、正確にはプッシュスイッチ６は部分的に前側包装体３内に収容されているといえる。斯かる構成により、購買者は前側包装体３を介することなくプッシュスイッチ６の操作部を直接押すことができる。なお、本実施形態では、プッシュスイッチ６の操作部が前側包装体３の外部に露出しているが、プッシュスイッチ６は前側包装体３内に完全に収容され、購買者が前側包装体３の外部からプッシュスイッチ６の操作部を押すことができるようにしてもよい。この場合、プッシュスイッチ６の操作部上に位置する前側包装体３を、比較的柔軟な材料で形成することが必要となる。
【００２２】
このように発光体用パッケージ１がバッテリ５及びプッシュスイッチ６を具備することにより、購買者は、発光体用パッケージ１内に包装されるポジションランプＬを、すなわち購買者が実際に購入することになる商品であるポジションランプＬを発光させて、その発光の様子を確認することができるようになる。
【００２３】
また、図１〜３から分かるように、前側包装体３の突出部３ｂの前面３ｃには、周囲よりも低くなっている凹所３ｄが設けられる。図示した例では、この凹所３ｄは突出部３ｂの底面まで延びている。この凹所３ｄ内にプッシュスイッチ６の操作部が設けられる。特に、図３から分かるように、プッシュスイッチ６の操作部は、凹所３ｄの周囲の面、すなわち凹所３ｄ周りの前面３ｃよりも低い位置（図１における後ろ方向）に配置される。
【００２４】
なお、図示した例では、凹所３ｄは突出部３ｂの底面まで延びているが、突出部３ｂの上面又は側面まで延びるように形成されてもよい。また、凹所３ｄは、突出部３ｂの前面３ｃではなく、上面、側面又は底面上に設けられても良い。
【００２５】
このように、プッシュスイッチ６の操作部が凹所３ｄ内に凹所３ｄの周囲の面（前面３ｃ）よりも低い位置に配置されることにより、発光体用パッケージ１を重ねたり、発光体用パッケージ１上に他のものを載せたりした場合に、意図せずにプッシュスイッチ６が押されてしまうことが防止される。これにより、発光体用パッケージ１の輸送中等にプッシュスイッチ６が押されて、バッテリ５が不必要に放電されてしまうことが防止される。
【００２６】
なお、上記実施形態では、発光体Ｌの発光の切替を行うスイッチとして、プッシュスイッチが用いられている。しかしながら、必ずしもプッシュスイッチを用いる必要はなく、例えば、ロッカースイッチ、トグルスイッチ、スライドスイッチ、レバースイッチ等様々なスイッチを用いることが可能である。ただし、いずれのスイッチを用いた場合であっても、これらスイッチの操作部は、凹所３ｄの周囲の面、すなわち凹所３ｄ周りの前面３ｃよりも低い位置に配置される必要がある。
【００２７】
次に、図４〜６を参照して本発明の第二実施形態の発光体用パッケージについて説明する。図４〜６は、それぞれ本発明の第二実施形態の発光体用パッケージの斜視図、平面図及び側面図である。発光体用パッケージ１’は、車両のドレスアップ用ランプ（発光体）Ｌ’を包装するためのパッケージであり、図１に示した包装体用パッケージ１と同様に、前側包装体３及び後側包装体４を具備する包装体２と、バッテリ５と、プッシュスイッチ６とを具備する。
【００２８】
図示した例では、車両のドレスアップ用ランプＬ’は、可撓性を有する帯状部材Ｌ1と、帯状部材の長手方向に一定間隔で配置された複数のＬＥＤ電球Ｌ2とを具備する。これら複数のＬＥＤ電球Ｌ2は、ドレスアップ用ランプＬ’のプラス電極とマイナス電極との間に電圧が加えられると一斉に点灯するように構成されている。
【００２９】
また、発光体用パッケージ１’は、図５に破線で示したように、包装体２内に収容されたバッテリ５及びプッシュスイッチ６を具備する。ドレスアップ用ランプＬ’、バッテリ５及びプッシュスイッチ６間の配線は、図２と同様に配置される。また、本実施形態においても、プッシュスイッチ６の操作部のみ前側包装体３の外部に露出している。
【００３０】
図４〜６から分かるように、本実施形態の発光体用パッケージ１’では、前側包装体３の突出部３ｂの前面３ｃ及び上面３ｅには、周囲の面よりも低くなっている凹所３ｄが設けられる。図示した例では、この凹所３ｄは突出部３ｂの側面まで延びている。特に、本実施形態では、この凹所３ｄの底部は、突出部３ｂの前面３ｃ及び上面３ｅに対して傾斜して延びている。この凹所３ｄ内にプッシュスイッチ６の操作部が設けられる。特に、図６から分かるように、プッシュスイッチ６の操作部は、凹所３ｄの周囲の面、すなわち凹所３ｄ周りの前面３ｃ及び上面３ｅよりも低い位置（すなわち、後ろ方向且つ下方向に配置される。
【００３１】
本実施形態の発光体用パッケージ１’においても、バッテリ５及びプッシュスイッチ６により、購買者は、発光体用パッケージ１’内に包装されるドレスアップ用ランプＬ’を、すなわち購買者が実際に購入することになる商品であるドレスアップ用ランプＬ’を発光させて、その発光の様子を確認することができるようになる。また、プッシュスイッチ６の操作部が凹所３ｄ内に凹所３ｄの周囲の面よりも低い位置に配置されることにより、発光体用パッケージ１’を重ねたり、発光体用パッケージ１’上に他のものを載せたりした場合に、意図せずにプッシュスイッチ６が押されてしまうことが防止される。
【００３２】
図７は、本発明の第三実施形態の発光体用パッケージの斜視図である。第三実施形態の発光体用パッケージ１’’は、車両のドレスアップ用ランプ（発光体）Ｌ’’を包装するためのパッケージであり、図１に示した包装体用パッケージ１と同様な構成である。第三実施形態の発光体用パッケージ１’’に包装されるドレスアップ用ランプＬ’’は、平板状部材Ｌ3と、平板状部材Ｌ3に一定間隔で縦横の列で配置された複数のＬＥＤ電球Ｌ4とを具備する。これら複数のＬＥＤ電球Ｌ4は、ドレスアップ用ランプＬ’’のプラス電極とマイナス電極との間に電圧が加えられると一斉に点灯するように構成されている。
【００３３】
図７から分かるように、本実施形態の発光体用パッケージ１’’では、前側包装体３の突出部３ｂの前面３ｃには、周囲の面よりも低くなっている凹所３ｄが設けられる。この凹所３ｄは、突出部３ｂの側面まで延びており、この凹所３ｄ内にはプッシュスイッチ６の操作部が設けられる。特に、図７から分かるように、プッシュスイッチ６の操作部は、凹所３ｄの周囲の面、すなわち凹所３ｄ周りの前面３ｃよりも低い位置に配置される。
【００３４】
本実施形態の発光体用パッケージ１’’においても、上記第一実施形態及び第二実施形態の発光体用パッケージ１、１’と同様な効果が得られる。
【符号の説明】
【００３５】
１、１’、１’’    発光体用パッケージ
２    包装体
３    前側包装体
４    後側包装体
５    バッテリ
６    プッシュスイッチ
７    配線
【図１】
2012116503.tif 000003
【図２】
2012116503.tif 000004
【図３】
2012116503.tif 000005
【図４】
2012116503.tif 000006
【図５】
2012116503.tif 000007
【図６】
2012116503.tif 000008
【図７】
2012116503.tif 000009